(57)【特許請求の範囲】
【請求項１】
入力モードに基づいて、操作部の機能を変更する通信装置であって、
前記入力モードに関する情報を記憶した近接通信部を有するシートと、
前記近接通信部から前記入力モードに関する情報を近接無線通信により取得する近接通信情報取得部と、
前記近接通信情報取得部が取得した前記入力モードに関する情報に基づき、前記操作部のダイヤル入力のための操作ボタンを、文字入力機能に、前記入力モードを変更する機能変更部と、
を有することを特徴とする通信装置。
【請求項２】
前記操作部は発光部を有し、前記近接通信情報取得部が前記近接通信部から前記入力モードに関する情報を取得した場合、前記発光部が発光することを特徴とする請求項１記載の通信装置。
【請求項３】
前記発光部は、前記操作部の操作ボタンを発光させることを特徴とする請求項２記載の通信装置。
【請求項４】
前記発光部は、前記シートを前記通信装置に載置する際の位置合わせのための目印の形状を有することを特徴とする請求項２記載の通信装置。
【請求項５】
表示部を有し、前記近接通信情報取得部が前記近接通信部から前記入力モードに関する情報を取得した場合、取得した前記入力モードに関する情報を前記表示部に表示することを特徴とする請求項１から４いずれかに記載の通信装置。
【請求項６】
音声出力部を有し、前記近接通信情報取得部が前記近接通信部から前記入力モードに関する情報を取得した場合、取得した前記入力モードに関する情報を前記音声出力部から音声によって出力することを特徴とする請求項１から５のいずれかに記載の通信装置。
【請求項７】
前記シートは、前記近接通信部に記憶された入力モードに関する情報に対応した、前記操作部の機能に関する情報が表示されていることを特徴とする請求項１から６のいずれかに記載の通信装置。
【請求項８】
前記シートは、前記操作部表面の凹凸形状に嵌合する形状であることを特徴とする請求項１から７いずれかに記載の通信装置。
【請求項９】
前記近接通信部は、情報の書き込み又は書き換えが可能であることを特徴とする請求項
１から８いずれかに記載の通信装置。
【請求項１０】
前記近接通信部はＩＣタグであり、前記近接通信情報取得部はＩＣタグリーダーであることを特徴とする請求項１から９いずれかに記載の通信装置。
【発明の詳細な説明】
【技術分野】
【０００１】
本発明は、通信装置に関する。
【背景技術】
【０００２】
電話機のような通信装置は、一般に入力操作を行う操作ボタンの数が限られているため、特に通信装置の各種設定を行う場合、入力モードを切り替えることによって、操作ボタンの機能を変更し、操作ボタンの数の不足を補うことが多い。しかし、入力モードの切り替えによって切り替わった操作ボタンの機能を、操作ボタン自体にＬＥＤなどを用いて切り替えて表示させるにはコストがかかってしまう。そのため、操作ボタンの凹凸形状に嵌合するような孔を有し、各操作ボタンの機能が表示されたシートを用いることが行われている。
【０００３】
電話機のような通信装置の設定は、呼び出し音、留守番電話、カレンダー機能、時計機能などの設定の他に、電話帳の入力などが行われるため、複数のシートが必要になる。複数のシートを用いる場合、シートごとに入力モードを切り替える必要があるため、シートの端部に切欠きを形成し、光電センサやリミットスイッチで切欠きを読み取り、そのシートの入力モードを判別し、入力モードを自動設定する技術が提案されている（特許文献１参照）。
【先行技術文献】
【特許文献】
【０００４】
【特許文献１】特開２００３−７８５９５号公報
【発明の概要】
【発明が解決しようとする課題】
【０００５】
しかしながら、上述の背景技術では、シートに切欠きを設けるため、切欠き部が壊れやすいという欠点があった。また光電センサの場合は、シートの汚れに弱いという欠点もあった。また複数のシートを識別するには複数の切欠きが必要であり、複数の光電センサやリミットスイッチが必要であり、電話機の操作面に光電センサやリミットスイッチのための面積を確保せざるを得ず、デザイン上の制約となっていた。また頻繁には使用しない電話機設定用の機能は、できるだけ邪魔にならない位置に配置したいが、光電センサやリミットスイッチの性質上、電話機の操作面に配置する必要があり、デザイン性を損ねていた。
【０００６】
また、光電センサは通常の電話操作や、電話機近くでの人やペットなどの動きなどにより誤検出の恐れがあった。同様にリミットスイッチも、通常の電話操作などで触れてしまうことによる誤検出の恐れがあった。そのため、コストアップとなる電話機設定モードに切り替えるための操作ボタンを専用に設けるか、使用者、特に高齢者などにとって操作が難しい複数の入力操作ボタンを同時に押すなどによって、電話機を設定モードにする必要があった。
【０００７】
さらに、使用者が複数のシートがそれぞれどのような機能を持っているかを知るには、シートに書いてある文字を読む必要があった。シートは操作ボタンに嵌合させるための孔を有することが多く、そのため文字は一般に小さく、読み取りにくいという欠点があった。さらにシートが透明の場合は、特に読みにくいという欠点があった。また使用者、特に高齢者などにとって、シートを操作部に合わせて配置する作業は、しばしば難しい場合があるという欠点もあった。
【０００８】
本発明は、上記問題点に鑑みてなされたものであり、背景技術の切欠きを有するシートの欠点である壊れやすさ、デザイン性の制約、誤検出、などを解消し、コストアップを抑え、また使用者、特に高齢者などにとって電話機の設定モードの切り替え作業が容易になる通信装置を提供するものである。
【課題を解決するための手段】
【０００９】
第１の発明の通信装置は、入力モードに基づいて、操作部の機能を変更する通信装置であって、前記入力モードに関する情報を記憶した近接通信部を有するシートと、前記近接通信部から前記入力モードに関する情報を近接無線通信により取得する近接通信情報取得部と、を有することを特徴とする。
【００１０】
これによって、切欠きを有するシートを用いることによるシートの壊れやすさや、デザイン性の制約、誤検出、などを解消できる。
【００１１】
第２の発明の通信装置は、第１の発明において、前記操作部は発光部を有し、前記近接通信情報取得部が前記近接通信部から前記入力モードに関する情報を取得した場合、前記発光部が発光することを特徴とする。
【００１２】
第３の発明の通信装置は、第２の発明において、前記発光部は、前記操作部の操作ボタンを発光させることを特徴とする。
【００１３】
第４の発明の通信装置は、第２の発明において、前記発光部は、前記シートを前記通信装置に載置する際の位置合わせのための目印の形状を有することを特徴とする。
【００１４】
これらによって、シートを通信装置に載置する作業が容易になる。
【００１５】
第５の発明の通信装置は、第１から第４の発明において、表示部を有し、前記近接通信情報取得部が前記近接通信部から前記入力モードに関する情報を取得した場合、取得した前記入力モードに関する情報を前記表示部に表示することを特徴とする。
【００１６】
第６の発明の通信装置は、第１から第５の発明において、音声出力部を有し、前記近接通信情報取得部が前記近接通信部から前記入力モードに関する情報を取得した場合、取得した前記入力モードに関する情報を前記音声出力部から音声によって出力することを特徴とする。
【００１７】
これらによって、シートの入力モードを容易に知ることができる。
【００１８】
第７の発明の通信装置は、第１から第６の発明において、前記シートは、前記近接通信部に記憶された入力モードに関する情報に対応した、前記操作部の機能に関する情報が表示されていることを特徴とする。
【００１９】
第８の発明の通信装置は、第１から第７の発明において、前記シートは、前記操作部表面の凹凸形状に嵌合する形状であることを特徴とする。
【００２０】
これらのシートは、本発明に好適に用いることができる。
【００２１】
第９の発明の通信装置は、第１から第８の発明において、前記近接通信部は、情報の書き込み又は書き換えが可能であることを特徴とする。
【００２２】
これによって、ユーザーはオリジナルのシートを作ることができ、通信装置の設定等が容易になる。
【００２３】
第１０の発明の通信装置は、第１から第９の発明において、前記近接通信情報取得部が取得した前記入力モードに関する情報に基づき、前記入力モードを変更する機能変更部を有することを特徴とする。これによって、シートを通信装置に近接させることによって、自動的に入力モードの変更ができる。
【００２４】
第１１の発明の通信装置は、第１から第９の発明において、前記近接通信部はＩＣタグであり、前記近接通信情報取得部はＩＣタグリーダーであることを特徴とする
【発明の効果】
【００２５】
本発明によれば、切欠きを有するシートの欠点である壊れやすさ、デザイン性の制約、誤検出、などを解消し、コストアップを抑え、また使用者にとって電話機の設定モードの切り替え作業が容易になる通信装置を提供することができる。なお、本発明の効果はあらゆる使用者にとって享受しうるものであるが、特に高齢者や、他者からの介護を要する人や、保護が必要な子供等の場合、よりその効果は顕著である。
【図面の簡単な説明】
【００２６】
【図１】本発明の実施形態に係る通信装置の外観を示す図である。
【図２】本発明の実施形態に係る通信装置の外観を示す図である。
【図３】本発明の実施形態に係る通信装置の構成を示すブロック図である。
【図４】本発明の第１の実施形態に係る通信装置の動作の一例を示すフローチャートである。
【図５】本発明の第２の実施形態に係る電通信装置の動作の一例を示すフローチャートである。
【発明を実施するための形態】
【００２７】
以下、本発明の通信装置に係る第１の実施形態について説明する。なお、通信装置は固定型の電話機を例にとって説明するが、後述の様に、操作部の入力モード切り替えを行う携帯型の電話機やファクシミリ装置等にも、同様に適用可能である。
【００２８】
図１は、本発明の実施形態に係る電話機１の外観を示す図である。図１に示している電話機１は、電話機の本体部である。この他に図示していないが、送受話器がある。送受話器は、待機時は電話機１のクレイドル３に載置され、送受話時にはクレイドル３から取り外し使用される。電話機１の本体と送受話器は無線、もしくは有線で接続されている（以下、無線の場合、すなわちコードレスホンを例にとって説明する）。
【００２９】
電話機１には、例えば現在時刻、通話時間、カレンダー、時計、電話番号等の各種情報を表示可能な表示部２、各種操作ボタンを含む操作部５が設けられている。図示していない送受話器には、受話口、送話口が設けられている。スピーカー４は、電話機１の呼び出し音、留守番電話のメッセージ、などを発音する。近接通信情報取得部６は、電話機１に近接するシートに配置された近接通信部８との間で情報の送信や、受信を行う（後述する）。
【００３０】
図２は、図１の電話機１に、シート７を載置した状態の外観を示す図である。図１と同様に送受話器は図示していない。シート７は操作部５の各種操作ボタンの凹凸形状に、概ね嵌合する形状をしている。シート７は例えば各種操作ボタンの部分に対応する孔が形成されていても良いし、対応するシート７の操作ボタンに対応する部分が操作ボタン形状に合わせて膨らんでいても良い。また、シートを弾性変形可能な合成樹脂を用いて、操作ボタンの形状に合わせて変形できるようにしても良い。また、操作ボタンの凹凸が大きくない場合などは、シートは平面であることも可能である。
【００３１】
シート７は、入力モードごとに用意される。シート７の表面には、入力モードに応じた、操作部５の各種操作ボタンのそれぞれの機能が、文字もしくは図形、あるいは色彩などにより表示されている。この表示によって各種操作ボタンが、入力モードの切り替えによって機能が変更された場合、どのような機能となっているかを知ることができる。入力モードは、例えば、電話帳登録モード、時計カレンダー設定モード、留守番電話設定モードなどである。入力モードの変更によって、各種操作ボタンの機能が変わり、例えばダイヤル入力時の「１」の操作ボタンが、入力モードを変更して文字入力の「ア」に変更される、などである。
【００３２】
シート７には、近接通信部８が搭載されている。近接通信部８は電波を用いて非接触で情報のやり取りが可能なチップ、いわゆるＩＣタグ（電子タグ、ＲＦＩＤタグ等とも呼ぶ）である。電話機１の近接通信情報取得部６（いわゆるＩＣタグリーダー）が送信する電波を受けた近接通信部８は、電波によって生み出される微弱な電力によって、情報処理を行い、近接通信部８に内蔵される情報を含む電波を送信する。近接通信部８から送信された電波は、近接通信情報取得部６によって受信される。近接通信が可能な距離は、用いる電波の強度や周波数によって適宜設定することができる。この近接通信は公知の技術であり、例えばISO/IEC１４４４３やISO/IEC１５６９３といった国際標準規格が知られている。なお、アンチコリジョン型ではないＩＣタグリーダーを用いた場合は、複数のシート７が近接した場合、エラーとなる。アンチコリジョン型のＩＣタグリーダーを用いた場合は、複数の近接通信部８から情報を取得できるが、入力モードの設定等ができないので、複数の情報を取得した場合はエラーになる様に設定される。エラーの情報は表示部１９に表示しても良いし、スピーカー１８からアラームを報知しても良い。
【００３３】
図２では、シート７は電話機１に載置されているが、近接通信情報取得部６と近接通信部８との間の通信は電波によって行われるため、必ずしも載置の必要はなく、シート７が電話機１の近傍にかざされるだけでも通信可能である。例えば、２０ｃｍから３０ｃｍ程度の距離で通信が行われる。また、電波による通信のため、近接通信情報取得部６は、電話機１の外部から見える構造になっている必要はない。図１及び図２では、近接通信情報取得部６は外部から見えるようになっているが、電話機１の筐体内部に配置しても良い。またシート７が電話機１の近傍にあればよいので、必ずしも近接通信情報取得部６は、シート７を載置した際の近接通信部８と対応する位置に配置される必要はない。そのため、デザイン上の制約が少なく、シンプルな外観の電話機を実現することが可能となる。
【００３４】
近接通信情報取得部６が取得する情報は、近接通信部８が内蔵する情報を含む。すなわち、近接通信部８が搭載されているシート７の情報を含むことになる。この情報には、シート７がどのような入力モードに対応しているか、を含んでいる。
【００３５】
近接通信部８は、シート７に接着され、表面を封止されている。またシート７が２層構造になっていて、その間に挟まれる構造でも良い。シート７には切欠きのような構造がなく、切欠きを起点として割れるなどの問題が生じにくい。また光電センサとは異なり、シート７の汚れによる誤検出の可能性もなくなる。
【００３６】
図３は、本発明の実施形態に係る電話機１の本体の構成を示すブロック図である。
図３に示すように、電話機１の本体は主制御部１１と、ＲＡＭ(Random Access Memory)１３と、不揮発性メモリ１４と、公衆回線制御部１５と、近接通信情報取得部１６と、音声出力部１７と、スピーカー１８と、表示部１９と、操作部２０と、無線部１２と、を備える。
【００３７】
主制御部１１は、不揮発性メモリ１４に記憶されている制御プログラムに従って、本体と、図示していない送受話器によって構成される電話機１の、各部を制御する。不揮発性メモリ１４は、制御プログラム等を記憶している。ＲＡＭ１３は、主制御部１１の主メモリとして機能する。本発明で変更される入力モードの情報や、各種設定に関する情報なども、ここで保持する。公衆回線制御部１５は、公衆回線に接続される。主制御部１１は、公衆回線制御部１５を制御して、他の電話機と通話を行うことができる。
【００３８】
表示部１９は、例えば現在時刻、通話時間、電話番号、カレンダー、時計等の各種情報を表示可能な表示装置からなる。また、ＲＡＭ１３に記憶されている登録された電話番号である電話帳に関する情報を表示可能である。また主制御部１１は、公知の留守番電話機能等を含んでいても良い。
【００３９】
電話機１の本体には、図示していない送受話器と無線接続するための無線部１２を有している。無線部１２は、主制御部によって制御される。主制御部１１の制御は、不揮発メモリ１４に記憶されている制御プログラムに従う。図示していない送受話器も同様に無線部、制御部、不揮発性メモリを有し、送話と受話の制御を行っている。
【００４０】
なお、本発明は、上述のコードレス電話を例にとって説明するが、親機と子機とを有する、いわゆる親子電話機や、携帯型の電話機でもであっても、同様に適用することが可能である。また操作部の入力モード切り替えを行うファクシミリ装置や、ファクシミリ機能を備えた電話機にも、同様に適用可能である。
【００４１】
次に、図４を参照し、本発明の電話機１の動作フローを説明する。図４の動作フローは、通常スタートからエンドの間の動作が、常時繰り返される。動作フローは不揮発メモリ１４にプログラムとして格納されている。最初に電話機１の近接通信情報取得部１６が電波を発信し、近接する近接通信部８（ＩＣタグ）の情報取得を行う（Ｓ１）。このＩＣタグ情報取得ステップは、常時行われているため、シート７を電話機１の近傍にかざしたとき、またはシート７を電話機１の操作部５に載置したとき、いつでもシート７の情報を取得できる。ＩＣタグ情報を取得できなかった場合は（Ｓ２：No）、ＩＣタグ情報が取得できるまで、情報取得動作を繰り返す。なお、シート７の情報を読み込むときのみ、情報取得動作を起動させるスイッチを、電話機１に設けても良い。
【００４２】
ＩＣタグ情報を取得できた場合（Ｓ２：Yes）、電話機１は取得したＩＣタグ情報に従って、操作部５の入力モードの切り替えを行う（Ｓ３）。具体的には、主制御部１１は不揮発性メモリ１４に記憶されている制御プログラムに従って、近接通信情報取得部１６を制御し、入力モードの切り替え、即ち操作部２０の各種操作ボタンの機能の変更を行う。
【００４３】
入力モードが変更されたことがユーザーに分かる様に、入力モードを表示部２に表示しても良い。電話機１のユーザーは、表示部２を見て、入力モードが変更されたことを確認し、入力を行う。入力モードは、例えば電話機の設定としては、呼び出し音、留守番電話、カレンダー、時計などがあり、また電話帳の入力などである。
【００４４】
ユーザーが各種操作ボタンを操作することによって行われる設定は、Ｓ４の入力検出で検出される。入力検出（Ｓ４）は、ユーザーによって入力終了の操作を検出するまで継続される。Ｓ５のYesは入力操作の終了の操作が検出されたことを示す。入力操作が終了すると（Ｓ５：Yes）、入力された情報に従って、電話機１が設定され、動作フローが完了する。
【００４５】
以上の様に、本発明ではシートに切欠きがないためシートが壊れやすいという欠点が解消され、また光電センサを用いた場合、シートの汚れに弱いという欠点も解消する。また電話機１のデザイン性の制約、光電センサによる誤検出の問題を解消し、コストアップも低減することができる。
【００４６】
以下、図５を参照して本発明の通信装置に係る第２の実施形態について説明する。なお、第１の実施形態（図４）と共通部分の説明は、省略する。ＩＣタグ情報を取得できた場合（Ｓ２：Yes）、操作部５の発光部を点灯させる（Ｓ７）。この発光部は、操作部５の各種操作ボタン内部もしくは近傍に配置されている。発光部はＬＥＤなどで、各種操作ボタンやその周辺（操作部５の全体等）を発光させることができる。この発光は電話機の設定（Ｓ６）が終了したのち、消灯する（Ｓ８）。
【００４７】
シート７を電話機１の近傍、例えば２０ｃｍ位の距離にかざすと、電話機１の近接通信情報取得部１６はシート７の近接通信部から、シート７の入力モードに関する情報を取得する。この時シート７は、電話機１の操作部５には、まだ載置されていない。シート７を操作部５に載置する前に発光部が発光するので、各種操作ボタンの発光が、シート７を載置する際の目印となり、シート７の載置を容易にすることが可能となる。使用者、特に高齢者などにとってシート７を正確に操作部５に載置することは、しばしば困難が伴うが、本発明に係る第２の実施形態により、これを容易にすることが可能となる。
【００４８】
なお、シート７は電話機１にかざすだけでも情報取得が可能なので、シート７の形状は必ずしも操作部５の各種操作ボタンに対応している必要はない。例えば操作マニュアルが書いてあるだけでもよく、各種操作ボタンの形状と無関係な自由な形状でもよい。
【００４９】
（変形例１）
第２の実施形態で説明した発光部は、各種操作ボタンやその周辺（操作部５の全体等）の発光に限らない。例えばシート７を載置する操作部５の周囲を、シート７の外周に一致するように、例えば枠のような形状で発光してもよい。この形状はシート７の載置の目印となりうる形状であれば、枠のような形状に限らない。この発光により、シート７を載置する際の目印となり、特に使用者、特に高齢者などにとってシートの載置が容易になる。
【００５０】
（変形例２）
図５の動作フローで、Ｓ７のステップを、操作部発光部点灯に変えて、入力モードの表示としても良い。変形例２では、取得したＩＣタグの情報を、表示部２に表示する。電話機１で用いられるシート７は、電話機の機能設定や電話帳の登録などに合わせて通常複数あり、使用する際はシート７を選択する必要がある。しかし、シート７の大きさは電話機１の外形や、各種操作ボタンの大きさの制約の中で決定されるので、操作ボタンに対応する部分の余白は狭いことが多い。そのためシート７に書かれている文字は小さいことが多く、使用者、特に高齢者などにとっては読み取ることが困難であった。この読み取り難さは特に透明のシート７を用いた場合、顕著であった。
【００５１】
表示部２に、シート７に搭載された近接通信部８（ＩＣタグ）の情報を表示する機能により、例えば複数のシート７を電話機１に順次かざし、表示部２に表示されるＩＣタグの情報、即ちシート７がどの入力モードに対応するかの表示を見て、シート７を選択することができる。これによって、使用者、特に高齢者などにとって容易にシート７の入力モードを知ることができ、各種設定や電話帳の登録作業が容易になる。
【００５２】
（変形例３）
上述の変形例２では、シート７の入力モードを表示部２に表示させたが、音声によってシート７の入力モードを報知しても良い。近接通信情報取得部１６によって取得したシート７の情報は、主制御部１１に制御される音声出力部１７によって音声に変換され、スピーカー１８から発音される。これによって、耳からも容易にシート７の入力モードを知ることができる。
【００５３】
なお、上述の操作部５の発光、表示部２による表示、スピーカー４による発音は、個別に行っても良く、また組み合わせて行っても良い。また、上述の変形例２、もしくは変形例３において、シート７を電話機１にかざした場合、入力モードを表示部２により表示、もしくはスピーカー４から発音すればシート７の選択ができるので、表示もしくは発音と同時に入力モードの切り替えを行わなくても良い。シート７を電話機１にかざす作業によって選択したシート７による入力モードの切り替えは、シート７からの情報を所定時間以上取得した場合に、即ち所定時間以上電話機１に載置した場合、入力モードの切り替えを行うとしてもよい。
【００５４】
（変形例４）
本発明は、シート７の識別に近接通信を用いているので、単にシート７から情報を読み取るだけでなく、シート７に配置された近接通信部８に情報を書き込んでもよい。または、近接通信部８に既に記憶されている情報の書き換えを行っても良い。情報の書き込みまたは書き換えは、公知の近接通信技術を用い、電話機１の近接通信情報取得部６より発信された電波によって、近接通信部８に書き込みを行う。また近接通信が利用可能な携帯電話やスマートフォンから書き込みを行っても良い。近接通信部８に既に記憶されている情報を書き換える場合は、予め近接通信で情報を取得してから、各操作ボタン毎に機能の割り当てを、適宜書き換えればよい。これによってオリジナルのシート７を作成することができ、ユーザーが頻繁に行う設定等が簡単でできるようになる。
【００５５】
本発明は、上述した実施形態に限られるものではなく、特許請求の範囲及び明細書全体から読み取れる発明の要旨或いは思想に反しない範囲で適宜変更可能であり、そのような変更を伴う通信装置もまた本発明の技術的範囲に含まれる。
【産業上の利用可能性】
【００５６】
本発明は、電話機やファクシミリ装置等の通信装置に好適に採用され得る。
【符号の説明】
【００５７】
１…電話機、２、１９…表示部、３…クレイドル、４、１８…スピーカー、５、２０…操作部、６、１６…近接通信情報取得部、７…シート、８…近接通信部、１１…主制御部、１２…無線部、１３…ＲＡＭ、１４…不揮発性メモリ、１５…公衆回線制御部、１７…音声出力部
【図１】
0006708926.tif 000002
【図２】
0006708926.tif 000003
【図３】
0006708926.tif 000004
【図４】
0006708926.tif 000005
【図５】
0006708926.tif 000006